(57)【要約】本発明は、遠隔通信網（１）および他の遠隔通信網（２）を有するネットワーク構成における自動的決済のための方法に関するものである。本方法では利用者サーバ装置（３）と遠隔通信網（１）に含まれている交換装置（４）との間ならびに他の遠隔通信網（２）のインタフェース（７）と交換装置（４）との間で電子的データがCAP／INAPプロトコルの使用のもとに交換される。
2005537756.tif 000002
【特許請求の範囲】
【請求項１】
遠隔通信網（１）および他の遠隔通信網（２）を有するネットワーク構成における自動的決済のための方法において、
・電子的な標識に基づいてそれぞれ自動的に識別可能な複数の遠隔通信装置に対する口座情報が電子的に記憶されている、遠隔通信網（１）の利用者サーバ装置（３）を用いて電子的な開始情報（２２）を自動的に捕捉するステップであって、その際開始情報が交換装置（４；１０１）から遠隔通信装置の１つ（５）からの遠隔通信問合わせ（２０）の受信への反応として利用者サーバ装置（３）に伝達されるステップと、
・サービス提供者サーバ装置（６）からインタフェース（７）を介して他の遠隔通信網（２）に電子的な料金情報を伝送する（２９）ステップと、
・他の遠隔通信網（２）から交換装置（４；１０１）に電子的な料金情報を伝送する（３０）ステップと、
・交換装置（４；１０１）から利用者サーバ装置（３）に電子的な料金情報を伝送する（３１）ステップと、
・  利用者サーバ装置（３）を用いて料金情報を自動的に処理するステップと
を含んでおり、他の遠隔通信網（２）のインタフェース（７）と交換装置（４；１０１）との間ならびに交換装置（４；１０１）と利用者サーバ装置（３）との間で電子的な料金情報を伝送するためCAP／INAPプロトコルが利用されることを特徴とする自動的決済のための方法。
【請求項２】
交換装置（４；１０１）が遠隔通信問合わせ（２０）の受信への反応として、遠隔通信装置の１つ（５）とサービス提供者サーバ装置（６）との間の遠隔通信接続（８、２８）を自動的に形成することを特徴とする請求項１記載の方法。
【請求項３】
サービス提供者サーバ装置（６）がネットワーク（９）に含まれており、また有償のネットワーク内容が遠隔通信接続を介してサービス提供者サーバ装置（６）から遠隔通信装置の１つ（５）に伝送されることを特徴とする請求項２記載の方法。
【請求項４】
ネットワーク（９）がインターネットであることを特徴とする請求項３記載の方法。
【請求項５】
交換装置（１０１）が別の遠隔通信網（１００）に含まれており、それによって交換装置（１０１）から利用者サーバ装置（３）への電子的な料金情報の伝送が、遠隔通信網（１）から別の遠隔通信網（１００）への遠隔通信伝送を含んでいることを特徴とする請求項１ないし４のいずれか１つに記載の方法。
【発明の詳細な説明】
【技術分野】
【０００１】
本発明は、遠隔通信網および他の遠隔通信網を有し、その遠隔通信網と他の遠隔通信網との間で電子的な情報が交換され得るネットワーク構成のなかでの自動的決済のための方法に関するものである。
【０００２】
遠隔通信網の運用者は現在、各遠隔通信網に登録された利用者により有償で利用され得る一連の電子的なサービスを提供する。その１つの例は、利用者に対して予選択“０１９０”を介して到達可能ないわゆるプレミアム・レート・サービスである。しかし遠隔通信網をさらに相互に開放することによって、将来は第三者提供者にもこのような有償のサービスを遠隔通信網を介して提供することが可能にされることが目指される。第三者提供者はこの関連で、電子的なサービスを用意するために利用される装置、例えばサーバ装置が、電子的なサービスを遠隔通信網の利用者に利用できるようにする遠隔通信網に含まれていないことを意味する。可能な第三者提供者は特にインタネット・サービス・プロバイダ（Internet-Service-Provider（ISP））またはアプリケーション・サービス・プロバイダ（Application-Service-Provider（ASP））であってよい。第三者提供者の電子的なサービスはたとえばあらゆる形式の物品の販売を含んでいる。
【０００３】
多数の潜在的なサービス利用者に到達するためには、第三者提供者にとって、１つの遠隔通信網のなかで提供されるサービスをこの遠隔通信網の利用者の利用に供するだけでなく、他の遠隔通信網の利用者の利用にも供することが有利である。このようなネットワークに無関係なサービスの用意は潜在的可能性のある利用者の数を拡大する。しかしこれは遠隔通信網の間の電子的な情報の交換、場合によっては実時間での交換、を必要とする。
【０００４】
第三者提供者にとってこの関連で、それから遠隔通信網を介して提供されるサービスが確実かつ迅速に利用者に対して決済されることは特に有意義である。
【０００５】
本発明の課題は、冒頭にあげた形式の方法であって、サービスの確実な決済のために種々の遠隔通信網において使用可能な方法を提供することである。
【０００６】
この課題は本発明によれば請求項１に記載の方法により解決される
【０００７】
本発明は本質的な考え方として特に、電子的なサービスの用意および利用に関与している遠隔通信網の間で電子的な料金情報を交換するために、CAPプロトコル（CAP-“CAMEL Applications Part”；CAMEL-“Customized Applications for Mobile Network Enhanced Logic”）またはINAP-プロトコル（INAP-“Intelligent Network Application Protokoll”）を使用することを含んでいる。CAPプロトコルまたはINAPプロトコルの利用は、アドレス指定、経路指定ならびに電子的な料金情報の伝送のために必要なオペレーションのセキュリティを保証する。このようなものとして知られているCAPプロトコルおよびINAPプロトコルは、たとえば認証のため、保全性保護のため、ならびに伝送される電子的情報の秘密性のセキュリティのために寄与する必要とされるセキュリティメカニズムを利用できるようにする。CAP-／INAP プロトコルを利用するため必要な構造は遠隔通信網において基本的に利用可能であるので、遠隔通信網のなかに自動的決済のための本発明による方法を利用するためにわずかな適応措置が講じられれば足りる。この仕方で、自動的な決済方法の実行のために新しいネットワーク・ジャンクションを有する第２のインフラ構造が開発かつ構成されなくてよいので、遠隔通信網に対するコストがわずかに保たれる。
【０００８】
サービスを遠隔通信網を介して利用者に提供したい第三者提供者の見地から、さらに、第三者提供者のサービスの利用可能性を他の遠隔通信網のなかでも達成するため、単にただ１つの遠隔通信網によりインタフェースを介して直接の接続を構成すればよいという利点が生ずる。これにより、可能なかぎり大きい利用者グループに対してサービスの利用可能性を保証するインフラ構造を構成するためのコストが第三者提供者に対してわずかに保たれる。
【０００９】
本発明による方法を用いて非常に小さい料金も経済的に自動的に決済され得る。利用者の見地から、利用者によりしばしば不都合と感じられる第三者提供者における登録プロシジャが必要でない。さらに例えばクレジットカード番号または口座接続情報のようなセキャリティ上重要なデータが保護されていない接続を介して遠隔通信網のなかで伝送される必要がない。
【００１０】
本発明の目的にかなった実施形態では、交換装置が遠隔通信問合わせの受信への反応として遠隔通信装置の１つとサービス提供者サーバ装置との間の遠隔通信接続を自動的に形成する。この仕方で、遠隔通信装置の利用者が可能なかぎり迅速にサービス提供者と接続し得ることが保証される。遠隔通信装置がたとえば移動電話で、それにより利用者がサービス提供者に物品を注文したい場合、別のサーバ装置でサービス提供者の交換局が利用される。遠隔通信装置がこの場合音声接続であることは目的にかなっている。
【００１１】
本発明の有利な実施形態では、サービス提供者サーバ装置がネットワークに含まれており、また有償のネットワーク内容が遠隔通信接続を介してサービス提供者サーバ装置から遠隔通信装置の１つに伝送される。この仕方で遠隔通信装置の利用者に、電子的情報を有償でサービス提供者のサーバ装置から呼出すことが可能にされる。遠隔通信装置においてはこの場合例えばモデムを利用することができ、このモデムを介して利用者は交換装置に申し込む。
【００１２】
本発明の有利な実施形態では、ネットワークはインターネットである。この仕方で、インターネットのなかで有償で提供される多くの内容を遠隔通信網の利用者に迅速かつに好都合に利用できるようにし、またここで確実かつ正確な自動的決済を保証することが可能である。
【００１３】
遠隔通信装置が利用装置として登録されている遠隔通信網に利用者が遠隔通信装置により最初に登録していないときにも、利用者に第三者提供者から提供されたサービスを利用できるようにするため、本発明の目的にかなった実施形態では、利用者サーバ装置が別の遠隔通信網に含まれており、それによって交換装置から利用者サーバ装置への電子的な料金情報の伝送が遠隔通信網から別の遠隔通信網への遠隔通信伝送を含んでいる。
【００１４】
以下に本発明を図面を参照して実施例により一層詳細に説明する。
【００１５】
図１は遠隔通信網１および他の遠隔通信網２を有するネットワーク構成の概要図を示す。遠隔通信網１、２はそれぞれ固定網または移動無線網であってよく、その際に両遠隔通信網１、２の一方が固定網であり、他方が移動無線網である場合も生じ得る。アナログトリガメカニズムがインプリメントされており、また相互に通信する網がさらに共通のプロトコルを理解し合うならば、固定網が使用され得る。この利用すべきプロトコルはCAPもしくはINAPプロトコルである。遠隔通信網１は利用者サーバ３を含んでおり、そのなかに遠隔通信網１に登録されている遠隔通信装置に対する口座情報が電子的に記憶されている。遠隔通信装置は遠隔通信網１のなかでそれぞれ固有の装置標識を手がかりにして識別可能である。装置標識は利用者サーバ３に記憶されている口座情報の自動的な対応付けのためのベースを形成する。装置標識はたとえばMSISDN（MSISDN−Mobil Station ISDN番号、ISDN-“Integrated Services Digital Network”）またはIMSI（IMSI-“International Mobile Subscriber Identity”）であってよい。一層詳細に考察すると、それは特殊な装置の標識ではなくSIMカード（SIM-“Subscriber Identity Module”）の標識である。
【００１６】
遠隔通信網１はさらにSSP装置４（SSP-“Service Switching Point”）を有する。実施例ではSSP装置４は、遠隔通信装置５、たとえば固定網電話、移動電話からまたはモデムを介してなされる問合わせのコーディネーションおよび仲介の役割をする。図１に示されている実施例では、遠隔通信網１は遠隔通信装置５に対するいわゆる“ホームネットワーク”である。遠隔通信装置５の利用者がいま、第三者提供者からサービス提供者サーバ装置６を介して提供されるサービスを要求したいならば、電子的な情報が遠隔通信網１、２の間で交換されなければならない。その際にサービス提供者サーバ装置６は図１によれば、サービス提供者サーバ装置６と他の遠隔通信網２との間で情報が電子的な形態で交換され得るように、OSAゲートウェイ７を介して他の遠隔通信網２に連結されている。OSAゲートウェイ７はOSAプロトコルをCAMELプロトコルに翻訳する。さらにそれは、ネットワークを外部から遮蔽することによってセキュリティの役割をもする。OSAゲートウェイ７は１つの例に過ぎず、それはParlayゲートウェイまたはサービス提供者サーバ装置６から所有者のインタフェースを介して応答される全く他のゲートウェイが設けられていてもよい。サービス提供者サーバ装置６は、図示されている実施例では、たとえばインターネットであってよいネットワーク９に含まれている。しかしサービス提供者サーバ装置６がネットワークに組み込まれていない構成を可能である。
【００１７】
第三者提供者からサービス提供者サーバ装置６を介して提供されるサービスは例えばなんらかの物品の販売であってよい。こうして第三者提供者はたとえばこの経路で切符を販売する交通企業であってよい。遠隔通信装置５の利用者による切符の入手の際に、切符の購入は続いて自動的に電子的に決済されなければならない。そのためには、装置標識に基づいて識別可能な遠隔通信装置５に対して利用者サーバ３に記憶されている口座情報が利用されるべきである。遠隔通信装置５が利用者サーバ３のなかの情報に従って事前支払い口座（“プリペイド”口座）を利用するならば、電子的な預金が第三者提供者からサービス提供者サーバ装置６を介して提供されるサービスの決済のために利用され得る。
【００１８】
以下では、遠隔通信装置５の利用者による第三者提供者から提供されたサービスの要求の際の方法、特に要求されたサービスの自動的な決済のため必要なステップ、が図１および３を参照して説明される。遠隔通信装置５の利用者は先ず、サービスの要求のために利用者に知られている特殊な電話番号（２０）を呼出す。SSP装置４は遠隔通信装置５の呼出しを受信し、また遠隔通信装置５をその装置標識に基づいて認識する。装置標識を用いてSSP装置４が自動的に、遠隔通信装置５の利用を事前支払い方法を用いて支払うべきであることを確認する。SSP装置４のなかに位置している“装置標識に関係してのトリガ”２１はネットに関係しており、またIDPメッセージ（IDP-“Initial Detection Point”）２２を利用者サーバ３に含んでいる開始情報の送出を開始する。トリガはSSP装置４に実現されている特定のトリガプロフィルもしくはCAMEL標準に従って定められたO-CSI（O-CSI-“Originating CAMEL Subscription  Information”）である。利用者- サーバ３はACメッセージ（AC-“Apply Charging”）、CUEメッセージ（CUE-“Continue”）、RRBメッセージ（RRB-“Request Report BCSM Event”）およびSCIメッセージ（SCI-“Send Charging Information”）（２３）により回答する。さらにRNC メッセージ（RNC-“Request Notification-Charging”）が送られる。RNCメッセージはSSP装置４に料金情報、特に料金要求、の到来を監視させる。
【００１９】
有利な構成では、RNCメッセージが送られずに、先にあげられたメッセージ、たとえばRRBメッセージが、RNCメッセージについて述べられたように、SSP装置４における等しい機能をキックするように拡張される。CAPまたはINASPプロトコルに対する現行の標準は、“Extensions”と呼ばれるこのような追加のコンパチブルな定義を許す。これは、RNCメッセージを定義していないプロトコル（CAPまたはINAPの特定のバージョン）が同じく利用され得るという利点を有する。
【００２０】
続いてSSP装置４が遠隔通信装置５から呼出された電話番号を評価する。この電話番号に対してSSP装置４に適切なトリガ２４、たとえばD-CSIオペレーション（D-CSI-“Dialed Camel  Subscription Information”）がセットされる。トリガメカニズムは同じく、SSP装置４に実現された特定のトリガ・プロフィルに基づいている。トリガリングの際にSSP装置４はIDPメッセージ２５を他の遠隔通信網２のなかのOSAインタフェース７に送る。受信されたIDPメッセージへの回答としてOSAゲートウェイ７はSSP装置４に自動的に下記のメッセージを送る。：CUE、CWA（CWA-“Continue With Argument”）またはCON（CON-“Connect”）およびRRB２６。RRBメッセージはその際に特に募集（Auflegen）を遠隔通信装置５により監視する要求を含んでいる。遠隔通信網１におけるSSP装置４の利用者サーバ３と他の遠隔通信網２におけるOSAインタフェース７との間で電子的な情報を交換するための既に説明された方法ステップは、CAPプロトコルまたはINAPプロトコルを用いて実行される。
【００２１】
必要なステップがCAPまたはINAPプロトコルを用いて実行された後に、SSP装置４がSSP装置４とサービス提供者サーバ６との間の遠隔通信接続８（図１参照）を構成する（２７）。これは遠隔通信装置５により選択された電話番号に関係して行われる。遠隔通信接続８はたとえば音声接続、特にISUP接続（ISUP-“ISDN User Part”；ISDN-“Integrated Services Digital Network”）であってよい。遠隔通信装置５の利用者は次いでこの経路でサービス提供者と接触し、またサービスを請求し得る（２８）。しかし遠隔通信接続８はサービス提供者サーバ６に呼出し可能に記憶されている電子的な情報を伝送するための接続であってもよい。例としてサービス提供者サーバ６は、遠隔通信装置５の利用者が遠隔通信接続を介してインターネット内容を呼出し得るように、インターネットの部分として構成されていてよいであろう。
【００２２】
遠隔通信装置５の利用者がサービスを要求した後またはサービス提供者にどのサービスを要求したいかを通知した後に、サービス提供者サーバ６に電子的な料金要求が発生され、OSAゲートウェイ７に送られる（２９）。OSAゲートウェイ７はそれに続いてCAP またはINAPプロトコルを用いてSCIメッセージ３０をSSP装置４に送る。料金要求はその際にSCIメッセージのいわゆるＥパラメータのなかに含まれていてよい。これらのＥパラメータは確かにユニットレスであり、また特定の金額を指定しないが、説明された目的に対して利用かつ構成され得る。Ｅパラメータはたとえば下記のように利用され得る。即ち、移動無線標準で定義される、Ｅパラメータの定義およびその数学的な結合（１つの式、原理的な式AoC＝scaling｛constant＋time related＋data related｝）を用いて実現されるAoC機能（AoC-“Advice Of Charge”）のうち、好ましくは一定の部分“constant”、すなわちパラメータＥ４、のみを利用すべきであり；“scaling”は“１”に、また他の部分は“０”にセットすべきである。このパラメータは、下記のデータ：min＝０、max＝８１９１およびResolution＝０.１を有する、受信の際にインクレメントすべき“Units”の数として定義されている。このコンマ設定の直接の利用の際にはたとえば４ユーロが等価な値ｅ４＝４０を用いて表され得よう。
【００２３】
SSP装置４は利用者サーバ３から先行のステップ２３でRNCメッセージを受け取っており、または有利な構成ではたとえばRRBメッセージが、それがRNCメッセージの機能を引受けているように拡張されたので、SSP装置４はいま、OSAゲートウェイ７からの料金要求をこのようなものとして認識し、自動的に利用者サーバ３に伝達する立場にある。そのためにオペレーションENC（ENC-“Event Notification Charging”）およびACR（ACR-“Apply Charging Report”）３１が送られ、これらが次いで利用者サーバ３からACメッセージにより回答される。有利な構成では、ENCメッセージが送られずに、ACRメッセージが、ENCメッセージと等しい機能を付加的に有するように拡張される。この構成は、前もってRNCメッセージが送られなかったときに利用すべきである。これは、OSAゲートウェイ７とSSP装置４との間のCAMEL対話の枠内で行われたSSP装置４による料金要求の伝送とSSP装置４と利用者サーバ３との間のCAPまたはINAP対話における料金要求の伝送とが、遠隔通信装置５に対する電子的に記憶された口座情報を更新し、また更新に関係してそれに自動的に反応することを可能にするACRメッセージの送信にも通ずることを意味する。利用者サーバ３に電子的に記憶された口座情報が十分な前払い口座状態を示したとすれば、メッセージ３１のなかの先に伝達された金額が口座から差し引かれ、またSSP装置４への対話がACメッセージ３２の伝送により続けられる。
【００２４】
遠隔通信装置５に対して利用者サーバ３に電子的に記憶された口座情報が、料金要求の記帳のために不十分な前払い口座状態が存在していることを明らかにしたとすると、利用者サーバ３は最も簡単な場合にはオペレーションRC（RC-“Release Call）”により反応することができ（４０）（図４参照）、それに基づいて遠隔通信接続８がレリーズされる。他の可能性は、サービス提供者をレリーズするために、利用者サーバ３がオペレーションDL（DL-“Disconnct Leg”）を送ることにある。SSP装置４は次いでCAMELプロトコル標準に従って事象“Disconnect B-Party”を有するERBメッセージ４１をOSAゲートウェイ７に送り、それによってサービス提供者サーバ６がこの事象を介して、たとえばOSAプロトコルに従ってエラー報知４２を用いて報知され得る。この関連で次いで、サービス提供者サーバ６が遠隔通信装置５の利用者に自動的に相応のアナウンスを演奏するように計画されていてよい。交通企業体における乗車券の入手の上記の例では、演奏されるメッセージの内容は、利用者の前払い口座が十分なカバレッジを有していないことに関する情報であってよいであろう。
【００２５】
説明された方法のエラーのない進行のためには、遠隔通信網１、２に設けられているCAMEL プロトコル標準が十分な現実性を有するであろう。現在は遠隔通信網１では合目的的にCAMEL３またはCS１-INAPが標準に合致するように拡張されており、また他の遠隔通信網２では合目的的にCAMEL３またはCS１-INAP（CS１-“Capability Set １”）がインプリメントされている。
【００２６】
図２は、図１と相違してSSP装置４が遠隔通信網１ではなく別の遠隔通信網１００に配置されているネットワーク構成を示す。それは、遠隔通信装置５がその“ホームネット”を形成する遠隔通信網１の範囲内に位置していない状況に関するものである。この場合にはSSP装置１０１が遠隔通信装置５の呼出しを受信し、通常の“Roamings”の枠内で遠隔通信装置１の利用者サーバ３との接触を受入れる。SSP装置１０１と利用者サーバ３との間ならびにSSP装置１０１と他の遠隔通信網２のなかのOSAゲートウェイ７との間の電子的な情報交換は、上記のようにCAPまたはINAPプロトコルを用いて実行される。図２によれば、遠隔通信装置５とSSP装置１０１との間ならびにサービス提供者サーバ６とSSP装置１０１との間の電子的なデータ交換のためにそれぞれ適切なプロトコルが利用される。それはたとえばISUP接続であってよい。
【００２７】
説明された方法は、有償のインターネットサービスを決済するためにも有利に利用され得る。この際にサービス提供者サーバ装置６はネットワーク９、インターネット、に含まれている。この場合にはサービスへのアクセスはたとえばモデム選択接続を用いて行われ得る。次いで決済が行われるべきであれば、モデム接続の利用者が、サービス電話番号を呼出すことを要求される。この際に生ずるこの接続を介して次いでデータが伝送される必要はなく、それは“単に”、CAMEL接続を構成する役割をする。さらにこれにより利用者は装置識別を手がかりにしても識別され、それによって、料金要求が正しい遠隔通信装置５に対応付けられることが保証される。
【図面の簡単な説明】
【００２８】
【図１】２つの遠隔通信網を有するネットワーク構成における自動的決済のための方法を説明するための概要図。
【図２】３つの遠隔通信網を有するネットワーク構成における自動的決済のための方法を説明するための概要図。
【図３】料金の成功裡の決済の場合のメッセージの流れの概要図。
【図４】料金が決済され得ない場合のメッセージの流れの概要図。
【符号の説明】
【００２９】
１  遠隔通信網
２  遠隔通信網
３  利用者サーバ装置
４  交換装置
５  遠隔通信装置
６  サービス提供者サーバ装置
７  インタフェース
８  遠隔通信装置
９  ネットワーク
【図１】
2005537756.tif 000003
【図２】
2005537756.tif 000004
【図３】
2005537756.tif 000005
【図４】
2005537756.tif 000006
【国際調査報告】
2005537756.tif 000007
2005537756.tif 000008
2005537756.tif 000009
2005537756.tif 000010